【事件の表示】
　平成１１年商標登録願第１０２０５４号拒絶査定に対する審判事件について、次のとおり審決する。
【結　論】
　本件審判の請求は、成り立たない。
【理　由】
１　本願商標
　本願商標は、別掲に示す構成よりなり、商品又は役務の区分第３，９，１４，１８，２５類に属する願書記載の商品を指定商品として、平成１１年１１月１０日に登録出願されたものである。
　
２　原査定の拒絶の理由の要点
　原査定は、登録第２２０４４５６号商標（以下「引用１商標」という。）、登録第２２１１３２１号商標（以下「引用２商標」という。）、登録第２３０２２７４号商標（以下「引用３商標」という。）、登録第２３１１７４５号商標（以下「引用４商標」という。）、登録第２３４４１５８号商標（以下「引用５商標」という。）、登録第２３８３５４９号商標（以下「引用６商標」という。）、登録第２４３６４２７号商標（以下「引用７商標」という。）、登録第２４６０９８５号商標（以下「引用８商標」という。）、登録第２５６１５５９号商標（以下「引用９商標」という。）、登録第２５８９６６０号商標（以下「引用１０商標」という。）、登録第３０２２３４９号商標（以下「引用１１商標」という。）、登録第３０２８５５４号商標（以下「引用１２商標」という。）、登録第３０８３６８０号商標（以下「引用１３商標」という。）、登録第３０８７８８１号商標（以下「引用１４商標」という。）、登録第３１４２９７９号商標（以下「引用１５商標」という。）、登録第３３３８７１６号商標（以下「引用１６商標」という。）及び登録第４３３５９５６号商標（以下「引用１７商標」という。）を引用し、「本願商標は、引用各商標と同一又は類似の商標であって、その商標に係る指定商品と同一又は類似の商品について使用をするものであるから、商標法第４条第１項第１１号に該当する。」旨を認定、判断して、本願を拒絶したものである。
　引用１商標は、「エクステ」の文字を横書きしてなり、第７類「プラスチツクス製建築専用材料、その他本類に属する商品」を指定商品として、昭和６２年７月２３日に登録出願、平成２年１月３０日に設定登録がされ、その後、同１２年２月１５日に存続期間の更新登録がされているものであり、
引用２商標は、別掲に示した構成よりなり、第１７類「被服（運動用特殊被服を除く）布製身回品（他の類に属するものを除く）寝具類（寝台を除く）」を指定商品として、昭和６２年１２月１０日に登録出願、平成２年２月２３日に設定登録がされ、その後、同１１年１０月５日に存続期間の更新登録がされているものであり、
引用３商標は、「ＳＩＬＶＩＡ　Ｊ’Ｓ」の文字を横書きしてなり、第１２類「自動車、その部品及び附属品（タイヤ、チューブを除く。）」を指定商品として、昭和６２年１２月２５日に登録出願、平成３年２月２７日に設定登録がされ、その後、同１３年１月９日に存続期間の更新登録が、同１４年１０月２日に「第１２類『自動車並びにその部品及び附属品（タイヤ，チューブを除く。）』」へと指定商品の書換登録がされているものであり、
引用４商標は、別掲に示した構成よりなり、第２１類「装身具、ボタン類、かばん類、袋物、宝玉及びその模造品、造花、化粧用具」を指定商品として、昭和６３年３月１６日に登録出願、平成３年６月２８日に設定登録がされたものであり、
引用５商標は、別掲に示した構成よりなり、第２２類「はき物（運動用特殊ぐつを除く）かさ、つえ、これらの部品及び附属品」を指定商品として、昭和６３年３月１６日に登録出願、平成３年１０月３０日に設定登録がされたものであり、
引用６商標は、「Ｊ’ｓ　カード」の文字を横書きしてなり、第１１類「電気機械器具、電気通信機械器具、電子応用機械器具（医療機械器具に属するものを除く）電気材料」を指定商品として、昭和６３年８月２５日に登録出願、平成４年２月２８日に設定登録がされたものであり、
引用７商標は、別掲に示した構成よりなり、第２４類「おもちや、人形、娯楽用具、運動具、釣り具、楽器、演奏補助品、蓄音機（電気蓄音機を除く）レコ―ド、これらの部品及び附属品」を指定商品として、平成２年６月５日に登録出願、同４年７月３１日に設定登録がされ、その後、同１４年８月６日に存続期間の更新登録がされているものであり、
引用８商標は、「エクステ」「Ｘｔｅ」の文字を上下二段にそれぞれ横書きしてなり、第２０類「家具、畳類、建具、屋内装置品（書画及び彫刻を除く）屋外装置品（他の類に属するものを除く）記念カツプ類、葬祭用具」を指定商品として、平成２年３月２３日に登録出願、同４年９月３０日に設定登録がされ、その後、同１４年７月１６日に存続期間の更新登録がされているものであり、
引用９商標は、別掲に示した構成よりなり、第２１類「装身具、ボタン類、かばん類、袋物、宝玉及びその模造品、造花、化粧用具」を指定商品として、平成２年６月５日に登録出願、同５年７月３０日に設定登録がされたものであり、
引用１０商標は、別掲に示した構成よりなり、第２２類「はき物（運動用特殊ぐつを除く）かさ、つえ、これらの部品及び附属品」を指定商品として、平成２年６月５日に登録出願、同５年１０月２９日に設定登録がされたものであり、
引用１１商標は、「Ｊ’Ｓ」「ジェイズ」の文字を上下二段にそれぞれ横書きしてなり、第２０類「家具，竹製の包装用容器，すだれ，装飾用ビ―ズカ―テン，木製又はプラスチック製の立て看板」を指定商品として、平成４年９月２５日に登録出願、同７年２月２８日に設定登録がされたものであり、
引用１２商標は、「Ｊ’Ｓ」「ジェイズ」の文字を上下二段にそれぞれ横書きしてなり、第１４類「貴金属製宝石箱，時計」を指定商品として、平成４年９月２５日に登録出願、同７年３月３１日に設定登録がされたものであり、
引用１３商標は、「Ｊ’Ｓ」「ジェイズ」の文字を上下二段にそれぞれ横書きしてなり、第６類「金属製建具，金庫，金属製包装用容器（「金属製栓・金属製ふた」を除く），金属製靴拭いマット，金属製ブラインド，金属製立て看板」を指定商品として、平成４年９月２５日に登録出願、同７年１０月３１日に設定登録がされたものであり、
引用１４商標は、「Ｊ’Ｓ」「ジェイズ」の文字を上下二段にそれぞれ横書きしてなり、第１６類「紙類，紙製包装用容器，文房具類（「昆虫採集用具」を除く。）」を指定商品として、平成４年９月２５日に登録出願、同７年１０月３１日に設定登録がされたものであり、
引用１５商標は、「Ｊ’Ｓ」「ジェイズ」の文字を上下二段にそれぞれ横書きしてなり、第３４類「たばこ，喫煙用具（貴金属製のものを除く。），マッチ」を指定商品として、平成４年９月２５日に登録出願、同８年４月３０日に設定登録がされたものであり、
引用１６商標は、「ジェイズ」の文字を横書きしてなり、第２５類「被服」を指定商品として、平成５年７月２９日に登録出願、同９年８月１５日に設定登録がされたものであり、
引用１７商標は、別掲に示した構成よりなり、第１６類「印刷物、絵画、その他の書画、写真」を指定商品として、平成４年６月２２日に登録出願、同１１年１１月１９日に設定登録がされたものであって、権利期間満了により商標権の登録が抹消されている引用４ないし６商標を除き、いずれも現在も有効に存続中である。
　
３　当審の判断
　本願商標は、別掲に示すとおり、「Ｊ’ｓ」の欧文字を太く大きく横書きしたものと、「ｅｘｔｅ（語尾の「ｅ」はアクサン記号「｀」を伴う）」の欧文字を横書きしたものとを、上下二段に併記してなるものであるが、これらを常に一体のものとして把握すべきような意味上の関連性はなく、かつ、その証拠も見出せない。
　かかる場合、前記文字の各部分は、それぞれが独立して商品識別の機能を果たし得るものというべきであるから、本願商標に接する取引者、需要者は、その構成中の「Ｊ’Ｓ」又は「ｅｘｔｅ」の文字部分に着目し、該文字より生ずる「ジェイズ」又は「エクステ」の称呼をもって取引に当たる場合も決して少なくないというのが取引の経験則に照らし相当である。
　したがって、本願商標は、「ジェイズ」又は「エクステ」のみの称呼をも生ずるものといわなければならない。
　引用各商標は、それぞれ前記したとおりの構成よりなるところ、その中の引用１商標及び引用８商標は、その構成中の「エクステ」のカタカナ文字に相応して生ずる「エクステ」の称呼をもって取引に資される商標と認められ、その他の引用各商標は、「ｊ’ｓ」、「Ｊ’ｓ」若しくは「Ｊ’Ｓ」の欧文字又は「ジェイズ」のカタカナ文字を顕著に表示した構成よりなり、該文字に応じて生ずる「ジェイズ」の称呼をもって取引に資される商標と認められる。
　そうすると、本願商標と引用各商標とは、前記の称呼を共通にする点で紛らわしく、また、本願商標の指定商品の取引分野において、商標より生ずる称呼をもって簡便に取引に当たることは普通に行われるところであって、両者の外観の差異を考慮するとしても、なお、両者はその出所について混同を生ずるおそれのある互いに類似の商標といわなければならない。
　また、引用各商標の指定商品は、いずれも本願商標の指定商品と同一又は類似のものと認められる。
　してみれば、本願商標は、商標法第４条第１項第１１号に該当するものといわざるを得ないから、これを理由に本願を拒絶した原査定は妥当であって、取り消すことはできない。
　なお、請求人は、審判請求書において具体的理由及び証拠は追って補充すると述べているに止まり、当審による審尋にもかかわらず意見を補充していないから、これを待たずに審理した。
　よって、結論のとおり審決する。